【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
糠、殊にコムギの糠から取得されたアリューロン成分および／またはアリューロンの投与形であって、好ましい生理的性質を有する、アリューロン中に含有されている作用物質がヒトまたは動物の有機体に簡単に受け容れやすい形で準備されているアリューロン成分および／またはアリューロンの投与形において、前記アリューロン成分が平均で約１００個までのアリューロン細胞を有するアリューロン細胞群の形で含有されており、このアリューロン細胞群からのアリューロン細胞の少なくとも一部分が弱体化された細胞壁を有することを特徴とする、アリューロン成分および／またはアリューロンの投与形。
【請求項２】
種々のアリューロン成分を糠中、殊にコムギの糠中の天然の相対的含量に相当する相対的割合で含有している、請求項１記載のアリューロン成分および／またはアリューロンの投与形。
【請求項３】
種々のアリューロン成分を糠中、殊にコムギの糠中の天然の相対的含量からずれている相対的割合で含有している、請求項１記載のアリューロン成分および／またはアリューロンの投与形。
【請求項４】
アリューロン細胞群が平均で約５〜５０個のアリューロン細胞、有利に約１０〜２０個のアリューロン細胞からなる、請求項１記載のアリューロン成分および／またはアリューロンの投与形。
【請求項５】
アリューロン細胞が酵素的に弱体化された細胞壁を有する、請求項１記載のアリューロン成分および／またはアリューロンの投与形。
【請求項６】
アリューロン細胞が機械的に弱体化された細胞壁を有する、請求項１または５記載のアリューロン成分および／またはアリューロンの投与形。
【請求項７】
アリューロン細胞が化学的に弱体化された細胞壁を有する、請求項１記載のアリューロン成分および／またはアリューロンの投与形。
【請求項８】
アリューロン細胞が熱的に、殊に蒸気処理および／またはマイクロ波処理によって弱体化された細胞壁を有する、請求項１記載のアリューロン成分および／またはアリューロンの投与形。
【請求項９】
アリューロン細胞の細胞壁が酵素的作用、機械的作用、化学的作用または熱的作用からなる組合せによって弱体化されている、請求項１から８までのいずれか１項に記載の投与形。
【請求項１０】
アリューロン成分が破壊されたアリューロン細胞（”アリューロン粥状物”）の形で含有されており、含有されているアリューロンの全体の細胞内容物ならびに全体の破壊された細胞壁を有する、請求項１または２記載のアリューロン成分および／またはアリューロンの投与形。
【請求項１１】
アリューロン成分が破壊されたアリューロン細胞（”アリューロン泥状物”）の形で含有されており、含有されているアリューロンの全体の細胞内容物の少なくとも一部分および／または破壊された細胞壁の少なくとも一部分を有する、請求項３記載のアリューロン成分および／またはアリューロンの投与形。
【請求項１２】
アリューロン成分以外に他の成分を有しない、請求項１から１１までのいずれか１項に記載のアリューロン成分および／またはアリューロンの投与形。
【請求項１３】
殊に凝集粒子、顆粒、圧縮物または粉末としてアリューロン細胞群からなる、請求項１２記載のアリューロン成分および／またはアリューロンの投与形。
【請求項１４】
少なくとも部分的に破壊されたアリューロン細胞（”アリューロン粥状物”）を有する、請求項１３記載のアリューロン成分および／またはアリューロンの投与形。
【請求項１５】
液状の形（”アリューロンジュース”）でアリューロン細胞に由来する細胞内容物のみからなる、請求項１２記載のアリューロン成分および／またはアリューロンの投与形。
【請求項１６】
細胞内容物が濃液状の流体（”アリューロンシロップ”）に濃密化されている、請求項１３記載のアリューロン成分および／またはアリューロンの投与形。
【請求項１７】
細胞内容物が薄液状の流体（”アリューロン水”）に希釈されている、請求項１５記載のアリューロン成分および／またはアリューロンの投与形。
【請求項１８】
乾燥された形で、殊に凝集粒子、顆粒、圧縮物または粉末としてアリューロン細胞に由来する細胞内容物のみからなる、請求項１２記載のアリューロン成分および／またはアリューロンの投与形。
【請求項１９】
殊に凝集粒子、顆粒、圧縮物または粉末としてアリューロン細胞に由来する破壊された細胞壁のみからなる、請求項１２記載のアリューロン成分および／またはアリューロンの投与形。
【請求項２０】
アリューロン細胞に由来する破壊された細胞壁および水のみからなる、請求項１２記載のアリューロン成分および／またはアリューロンの投与形。
【請求項２１】
アリューロン成分および／またはアリューロンが栄養剤に混和されている、請求項１から１１までのいずれか１項に記載のアリューロン成分および／またはアリューロンの投与形。
【請求項２２】
栄養剤が栄養剤の次の群：
ａ）基本栄養剤、例えば
−  コムギ、ライムギ、稲、トウモロコシまたはダイズからの粉または穀物粉、
−  発酵されたかまたは発酵されていない牛乳、
−  動物性脂肪または植物性脂肪、
−  果実または果汁、
−  野菜または野菜ジュース、
−  純水、ミネラルウォーターまたは他の成分増強された水、
−  肉、
−  魚、
−  等、
ｂ）加工された栄養剤、例えば
−  チーズ、白チーズまたはヨーグルト、
−  飲料、殊にミルク飲料またはジュース、
−  パン類またはケーキ類、殊にパンまたはクッキー、
−  麺類、パスタ、
−  菓子、殊にチョコレートまたは子供の駄菓子のくまちゃん、
−  朝食用オートミール、
−  パンに塗るもの、
−  棒状物、
−  肉代用品、
−  ソーセージ、
−  等、
ｃ）特異的な作用を有する特殊栄養剤、例えば
−  機能的食物、
−  薬用食物、
−  デザイナーフード、
−  ヌトラシューティカルズ（Nutraceuticals）、
−  等
からの栄養剤または栄養剤の組合せ物である、請求項２１記載のアリューロン成分および／またはアリューロンの投与形。
【請求項２３】
アリューロン成分および／またはアリューロンが飼料に混和されている、請求項１から１１までのいずれか１項に記載のアリューロン成分および／またはアリューロンの投与形。
【請求項２４】
飼料が飼料の次の群：
ａ）家畜用飼料またはペットフード、例えば
−  犬の餌、
−  猫の餌、
−  齧歯類の動物の餌、
−  魚の餌、
−  爬虫類の動物の餌、
−  両生類の動物の餌、
−  鳥の餌、
−  等、
ｂ）有用動物用の飼料、例えば
−  馬の餌、
−  牛の餌、
−  豚の餌、
−  羊の餌、
−  家禽類の動物の餌、
−  等
からの飼料または飼料の組合せ物である、請求項２３記載のアリューロン成分および／またはアリューロンの投与形。
【請求項２５】
アリューロン成分および／またはアリューロンが代謝中性の担持剤、殊に消化の悪い担持剤に混和されている、請求項１から１１までのいずれか１項に記載のアリューロン成分および／またはアリューロンの投与形。
【請求項２６】
消化の悪い担持剤が次の薬剤：
−  不溶性塩、
−  ワックス、
−  澱粉、
−  ゼラチン、
−  チューイングガム、
−  等
の群からの薬剤または薬剤の組合せ物である、請求項２５記載のアリューロン成分および／またはアリューロンの投与形。
【請求項２７】
アリューロン成分および／またはアリューロンが美味の担持剤に混和されている、請求項１から１１までのいずれか１項に記載のアリューロン成分および／またはアリューロンの投与形。
【請求項２８】
美味の担持剤が次の薬剤：
−  デキストロース、
−  マルトース、
−  果実味のゴム、
−  等
の群からの薬剤または薬剤の組合せ物である、請求項２７記載のアリューロン成分および／またはアリューロンの投与形。
【請求項２９】
請求項１から１１までのいずれか１項または請求項２１から２８までのいずれか１項に記載のアリューロン成分および／またはアリューロンの投与形の製造法において、アリューロン成分および／またはアリューロンをヒトまたは動物の有機体に簡単に受け容れやすい液状または粉末状の形で栄養剤または飼料に混和し、前記アリューロン成分が平均で約１００個までのアリューロン細胞を有するアリューロン細胞群の形で含有されており、このアリューロン細胞群からのアリューロン細胞の少なくとも一部分が弱体化された細胞壁を有することを特徴とする、請求項１から１１までのいずれか１項または請求項２１から２８までのいずれか１項に記載のアリューロン成分および／またはアリューロンの投与形の製造法。
【請求項３０】
請求項１から１１までのいずれか１項または請求項２１から２８までのいずれか１項に記載のアリューロン成分および／またはアリューロンの投与形の製造法において、アリューロン成分および／またはアリューロンをヒトまたは動物の有機体に簡単に受け容れやすい液状または粉末状の形で加工された栄養剤または加工された飼料にこれら栄養剤または飼料の加工の間に混和し、栄養剤または飼料を連続的に加工し、アリューロン成分および／またはアリューロンを次の形：
−  アリューロン細胞および／またはアリューロン細胞群からのアリューロン粒子粉末、
−  アリューロン細胞原形質からのアリューロンジュース、
−  懸濁されたアリューロン細胞および／またはアリューロン細胞群、
−  希釈されたアリューロン細胞原形質、
−  濃縮されたアリューロン細胞原形質、
−  乾燥されたアリューロン細胞原形質からの顆粒、ペレット、粉末等
の少なくとも１つの形で加工の間に栄養剤または飼料に連続的に供給することを特徴とする、請求項１から１１までのいずれか１項または請求項２１から２８までのいずれか１項に記載のアリューロン成分および／またはアリューロンの投与形の製造法。
【請求項３１】
請求項１から１１までのいずれか１項または請求項２１から２８までのいずれか１項に記載のアリューロン成分および／またはアリューロンの投与形の製造法において、無傷のアリューロンまたは無傷のアリューロン細胞またはアリューロン細胞群を加工された栄養剤または加工された飼料にこれら栄養剤または飼料の加工の間に、栄養剤または飼料が次の作用：
−  酵素作用、
−  機械的作用、殊に剪断、圧縮、膨脹等、
−  熱的作用、殊に蒸気および／またはマイクロ波、
−  化学的作用
の少なくとも１つの作用に晒されるような１つの処理工程で混和することを特徴とする、請求項１から１１までのいずれか１項または請求項２１から２８までのいずれか１項に記載のアリューロン成分および／またはアリューロンの投与形の製造法。
【請求項３２】
混和することができる全体量のアリューロン成分および／またはアリューロンを分割して栄養剤の加工または飼料の加工の多数の処理工程で混和する、請求項３０または３１記載の方法。
【請求項３３】
栄養剤補充剤または飼料補充剤としての請求項１２から２０までのいずれか１項に記載の投与形の使用。
【手続補正２】
【補正対象書類名】明細書
【補正対象項目名】００１０
【補正方法】変更
【補正の内容】
【００１０】
この課題は、糠、殊にコムギの糠から取得されたアリューロン成分および／またはアリューロンの投与形であって、好ましい生理的性質を有する、アリューロン中に含有されている作用物質がヒトまたは動物の有機体に簡単に受け容れやすい形で準備されているアリューロン成分および／またはアリューロンの投与形によって解決され、この場合、前記アリューロン成分が平均で約１００個までのアリューロン細胞を有するアリューロン細胞群の形で含有されており、このアリューロン細胞群からのアリューロン細胞の少なくとも一部分が弱体化された細胞壁を有する。それによって、アリューロンの栄養生理学的成分は、完全粗粒の穀物を食べる場合よりも有機体によってさらに良好に吸収されうる。